(57)【要約】【課題】情報処理方法、情報処理装置およびプログラムを提供すること。【解決手段】所定の事物を表す事物情報に、所定の事物の属性を示す属性情報を対応付けて記憶する記憶ステップと、記憶ステップにおいて記憶された属性情報の少なくとも一部を抽出して属性情報集合を生成する生成ステップと、記憶媒体に記憶される一の事物情報が、属性情報集合を構成する属性情報を含むか否かを判断する第一の判断ステップと、一の事物情報と、属性情報集合を構成する属性情報のうちで一の事物情報に含まれると判断された特定の属性情報と、を対応付ける対応付けステップと；を含むことを特徴とする。【選択図】図９
2008146483.tif 000002
【特許請求の範囲】
【請求項１】
所定の事物を表す事物情報に、前記所定の事物の属性を示す属性情報を対応付けて記憶する記憶ステップと；
前記記憶ステップにおいて記憶された属性情報の少なくとも一部を抽出して属性情報集合を生成する生成ステップと；
記憶媒体に記憶される一の事物情報が、前記属性情報集合を構成する属性情報を含むか否かを判断する第一の判断ステップと；
前記一の事物情報と、前記属性情報集合を構成する属性情報のうちで前記一の事物情報に含まれると判断された特定の属性情報と、を対応付ける対応付けステップと；
を含むことを特徴とする、情報処理方法。
【請求項２】
前記事物情報は、前記所定の事物が生じた時期を示す時期情報を含むことを特徴とする、請求項１に記載の情報処理方法。
【請求項３】
前記一の事物情報に含まれる第一の前記時期情報と、前記特定の属性情報が人為的に対応付けられた特定の事物情報に含まれる第二の前記時期情報と、の時期的関係に応じて前記特定の属性情報を前記一の事物情報との対応付けの対象とするか否かを判断する第二の判断ステップをさらに含むことを特徴とする、請求項２に記載の情報処理方法。
【請求項４】
前記時期的関係は、前記第一の時期情報と、前記第二の時期情報と、の時期的な前後関係であることを特徴とする、請求項３に記載の情報処理方法。
【請求項５】
前記時期的関係は、前記第一の時期情報と、前記第二の時期情報と、の時期的な間隔であることを特徴とする、請求項３に記載の情報処理方法。
【請求項６】
前記時期的関係は、前記特定の属性情報が人為的に対応付けられた複数の事物情報の各々に含まれる前記第二の時期情報の時期的な分布と、前記第一の時期情報と、の関係であることを特徴とする、請求項３に記載の情報処理方法。
【請求項７】
前記事物情報の各々は、前記所定の事物の属性に応じて複数の区分のいずれかに分類され、
前記属性情報集合は、前記抽出された属性情報が対応付けられている事物情報の区分ごとに生成され、
いずれの区分に対応する属性情報集合を前記第一の判断ステップにおいて用いるかを選択するステップをさらに含むことを特徴とする、請求項１に記載の情報処理方法。
【請求項８】
前記事物情報の区分を選択するステップをさらに含み、
前記第一の判断ステップは、前記選択された区分に分類されている事物情報の各々が、前記属性情報集合を構成する属性情報を含むか否かを判断することを特徴とする、請求項７に記載の情報処理方法。
【請求項９】
前記記憶媒体に新たな属性情報が追加された場合に前記属性情報集合を更新するステップをさらに含むことを特徴とする、請求項１に記載の情報処理方法。
【請求項１０】
前記第一の判断ステップまたは前記対応付けステップは、所定の頻度で行なわれることを特徴とする、請求項１に記載の情報処理方法。
【請求項１１】
前記対応付けステップにより前記一の事物情報と対応付けられた前記特定の属性情報に、識別情報を付加するステップをさらに含むことを特徴とする、請求項１に記載の情報処理方法。
【請求項１２】
前記事物情報に人為的に対応付けた属性情報の前記属性情報集合への抽出を禁止可能であることを特徴とする、請求項１に記載の情報処理方法。
【請求項１３】
所定の事物を表す事物情報と、前記所定の事物の属性を示す属性情報とを対応付けて記憶する記憶部と；
前記記憶部に記憶された属性情報の少なくとも一部を含む属性情報集合を生成する生成部と；
一の事物情報が、前記属性情報集合を構成する属性情報を含むか否かを判断する判断部と；
前記一の事物情報と、前記一の事物情報に含まれると判断された前記属性情報集合を構成する特定の属性情報と、を対応付ける処理部と；
を備えることを特徴とする、情報処理装置。
【請求項１４】
コンピュータを、
所定の事物を表す事物情報と、前記所定の事物の属性を示す属性情報とを対応付けて記憶媒体に記録する記録部と；
前記記憶媒体に記憶された属性情報の少なくとも一部を含む属性情報集合を生成する生成部と；
一の事物情報が、前記属性情報集合を構成する属性情報を含むか否かを判断する判断部と；
前記一の事物情報と、前記一の事物情報に含まれると判断された前記属性情報集合を構成する特定の属性情報と、を対応付ける処理部と；
を備える情報処理装置として機能させるための、プログラム。
【発明の詳細な説明】
【技術分野】
【０００１】
本発明は、情報処理方法、情報処理装置およびプログラムに関する。
【背景技術】
【０００２】
近日、ニュース、映画または音楽などの所定の事物を表す事物情報を記憶する情報サーバが、ユーザから要求された事物情報をユーザに提供するサービスが広く行なわれている。ここで、情報サーバが記憶する各事物情報に、各事物情報の内容を簡易的に示す属性情報としてのタグが付加されていれば、ユーザがタグに基づいて所望の事物情報を効率的に検索および要求することができる。したがって、情報サーバが記憶する事物情報には、正確なタグが付加されていることが望まれる。
【０００３】
このようなタグを事物情報に付加する方法として、人為的に付加する方法と、自動的に付加する方法があげられる。人為的に付加する方法は、事物情報を視聴者が視聴し、視聴者が事物情報の内容にふさわしいと判断したタグを事物情報に付加する方法である。かかる人為的に付加する方法は、事物情報に正確なタグを付加することができるが、情報サーバが記憶する全ての事物情報の視聴および内容の判断を行なうことは膨大な手間であった。
【０００４】
また、特許文献１には、メタデータを自動的に事物情報に付加するメタデータ付与方法が記載されている。かかるメタデータ付与方法によれば、テキスト形式の事物情報からキーワードを抽出し、該キーワードとあらかじめメタデータごとに設定された比較タグ群を比較し、該比較結果に応じて事物情報の内容に適合すると判断されたメタデータを該事物情報に付加することができる。
【０００５】
【特許文献１】特開２００３−２２８５６９号公報
【発明の開示】
【発明が解決しようとする課題】
【０００６】
しかし、従来のメタデータ付与方法における上記比較タグ群は、人為的に設定されたり、事物情報の内容を形態素解析することにより設定されていた。このため、人為的に比較タグ群を設定する場合には膨大な手間が発生するという問題があった。また、事物情報の内容を形態素解析することにより比較タグ群を設定する場合には、比較タグとして不適切なものまで比較タグ群に包含されるという問題があった。
【０００７】
そこで、本発明は、上記問題に鑑みてなされたものであり、本発明の目的とするところは、適切な属性情報を含む属性情報集合を簡易に生成し、該属性情報集合を事物情報と属性情報との対応付けに用いることが可能な、新規かつ改良された情報処理方法、情報処理装置およびプログラムを提供することにある。
【課題を解決するための手段】
【０００８】
上記課題を解決するために、本発明のある観点によれば、所定の事物を表す事物情報に、上記所定の事物の属性を示す属性情報を対応付けて記憶する記憶ステップと、上記記憶ステップにおいて記憶された属性情報の少なくとも一部を抽出して属性情報集合を生成する生成ステップと、記憶媒体に記憶される一の事物情報が、上記属性情報集合を構成する属性情報を含むか否かを判断する第一の判断ステップと、上記一の事物情報と、上記属性情報集合を構成する属性情報のうちで上記一の事物情報に含まれると判断された特定の属性情報と、を対応付ける対応付けステップと、を含むことを特徴とする、情報処理方法が提供される。
【０００９】
上記生成ステップでは、記憶ステップにおいて事物情報に対応付けて記憶された属性情報を抽出することにより、自動的に属性情報集合を生成することが可能である。また、当該属性情報集合を構成する属性情報は、事物情報に対して例えば人為的に付加された属性情報であるため、事物情報の属性を示す上で不適切な属性情報が属性情報集合に含まれる場合を抑制できる。そして、上記対応付けステップでは、一の事物情報と、上記属性情報集合を構成する属性情報のうちで上記一の事物情報に含まれると判断された特定の属性情報と、を対応付けるため、当該情報処理方法によれば、事物情報に対して簡易に属性情報を対応付けることができる。
【００１０】
上記事物情報は、上記所定の事物が生じた時期を示す時期情報を含んでもよい。かかる構成によれば、上記事物情報に含まれる時期情報を用いた処理が可能となる。
【００１１】
上記一の事物情報に含まれる第一の上記時期情報と、前記特定の属性情報が人為的に対応付けられた特定の事物情報に含まれる第二の上記時期情報と、の時期的関係に応じて上記一の事物情報を上記特定の属性情報との対応付けの対象とするか否かを判断する第二の判断ステップをさらに含んでもよい。かかる構成においては、第一の時期情報が示す時期と、第二の時期情報が示す時期との関係を考慮して上記一の事物情報を上記特定の属性情報との対応付けの対象とするか否かを判断するため、より信頼性の高い属性情報を事物情報に対応付けることができる。
【００１２】
上記時期的関係は、上記第一の時期情報と、上記第二の時期情報と、の時期的な前後関係であってもよい。例えば、上記第一の時期情報が上記第二の時期情報の以後を示す場合にのみ、上記一の事物情報を上記特定の属性情報との対応付けの対象とすることができる。かかる構成においては、上記特定の事物情報が表す事物が、第二の時期情報が示す時期以前に生じた事物と関連する可能性が低い場合、第二の時期情報が示す時期以前に生じた事物を表す上記一の事物情報と、上記特定の事物情報に対応付けられた特定の属性情報と、を対応付けてしまうことを防止できる。
【００１３】
上記時期的関係は、上記第一の時期情報と、上記第二の時期情報と、の時期的な間隔であってもよい。例えば、上記第一の時期情報と、上記第二の時期情報と、の時期的な間隔が設定時間以内であった場合にのみ、上記一の事物情報を上記特定の属性情報との対応付けの対象とすることができる。ここで、一の事物情報の表す事物が生じた時期と、特定の事物情報が表す事物の生じた時期と、が近接する場合に、一の事物情報の表す事物と特定の事物情報が表す事物とが関連する可能性が高いと考えることができる。したがって、上記第一の時期情報と、上記第二の時期情報と、の時期的な間隔を考慮することにより、信頼性の高い上記特定の属性情報を上記一の事物情報と対応付けることができる。
【００１４】
上記時期的関係は、上記特定の属性情報が人為的に対応付けられた複数の事物情報の各々に含まれる上記第二の時期情報の時期的な分布と、上記第一の時期情報と、の関係であってもよい。例えば、上記第一の時期情報が、上記第二の時期情報の時期的な分布上の度数が高い位置に該当する場合、上記一の事物情報を上記特定の属性情報との対応付けの対象とすることができる。ここで、上記第一の時期情報が、上記第二の時期情報の時期的な分布の度数が高い位置に該当する場合は、上記一の事物情報が上記特定の属性情報と関連する可能性が高いと考えられる。したがって、上記第二の時期情報の時期的な分布と、上記第一の時期情報と、の関係を考慮することにより、信頼性の高い上記特定の属性情報を上記一の事物情報と対応付けることができる。
【００１５】
上記事物情報の各々は、上記所定の事物の属性に応じて複数の区分のいずれかに分類され、上記属性情報集合は、上記抽出された属性情報が対応付けられている事物情報の区分ごとに生成され、いずれの区分に対応する属性情報集合を上記第一の判断ステップにおいて用いるかを選択するステップをさらに含むようにしてもよい。かかる構成においては、上記第一の判断ステップで上記一の事物情報に含まれるか否かを判断する属性情報の数を抑制することができる。また、上記第一の判断ステップいずれの区分に対応する属性情報集合を用いるかを吟味すれば、上記一の事物情報に不要な属性情報が対応付けられてしまう場合を抑制できる。
【００１６】
上記事物情報の区分を選択するステップをさらに含み、上記第一の判断ステップは、上記選択された区分に分類されている事物情報の各々が、上記属性情報集合を構成する属性情報を含むか否かを判断するようにしてもよい。かかる構成においては、当該情報処理方法の対象から除外すべき事物情報に、意図せず属性情報が対応付けられてしまうことを防止できる。
【００１７】
上記記憶媒体に新たな属性情報が追加された場合に上記属性情報集合を更新するステップをさらに含むようにしてもよい。かかる構成においては、記憶媒体に記憶される事物情報および属性情報の変化に追従するように属性情報集合を更新することができる。
【００１８】
上記第一の判断ステップまたは上記対応付けステップは、所定の頻度で行なわれるようにしてもよい。上記第一の判断ステップは、記憶媒体に記憶されている事物情報と属性情報集合を構成する属性情報とを比較するため、処理負荷が高い。そこで、上記第一の判断ステップまたは上記対応付けステップを実行する頻度を調整し、当該方法を実行するハードウェアにおける負荷を調整することができる。
【００１９】
上記対応付けステップにより上記一の事物情報と対応付けられた上記特定の属性情報に、識別情報を付加するステップをさらに含むようにしてもよい。かかる識別情報を参照することにより、事物情報に対応付けられている属性情報が、人為的に対応付けられたものであるのか、当該情報処理方法により対応付けられたものであるのかを把握することができる。
【００２０】
上記事物情報に人為的に対応付けた属性情報の上記属性情報集合への抽出を禁止可能であってもよい。かかる構成においては、例えば個人的な内容を含む属性情報が、属性情報集合に包含されてしまうことを防止することができる。
【００２１】
また、上記課題を解決するために、本発明の別の観点によれば、所定の事物を表す事物情報と、上記所定の事物の属性を示す属性情報とを対応付けて記憶する記憶部と、上記記憶部に記憶された属性情報の少なくとも一部を含む属性情報集合を生成する生成部と、一の事物情報が、上記属性情報集合を構成する属性情報を含むか否かを判断する判断部と、上記一の事物情報と、上記一の事物情報に含まれると判断された上記属性情報集合を構成する特定の属性情報と、を対応付ける処理部とを備えることを特徴とする、情報処理装置が提供される。
【００２２】
また、上記課題を解決するために、本発明の別の観点によれば、コンピュータを、所定の事物を表す事物情報と、上記所定の事物の属性を示す属性情報とを対応付けて記憶媒体に記録する記憶部と、上記記憶媒体に記憶された属性情報の少なくとも一部を含む属性情報集合を生成する生成部と、一の事物情報が、上記属性情報集合を構成する属性情報を含むか否かを判断する判断部と、上記一の事物情報と、上記一の事物情報に含まれると判断された上記属性情報集合を構成する特定の属性情報と、を対応付ける処理部とを備える情報処理装置として機能させるための、プログラムが提供される。
【発明の効果】
【００２３】
以上説明したように本発明にかかる情報処理方法、情報処理装置およびプログラムによれば、適切な属性情報を含む属性情報集合を簡易に生成し、該属性情報集合を事物情報と属性情報との対応付けに用いることができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
本明細書においては、まず、図１を参照して本実施形態にかかる年表管理システム１の概要を説明した後、図２〜図１０を参照して本実施形態にかかる情報処理装置としての年表管理装置２０の構成および動作を説明する。
【００２６】
図１は、本実施形態にかかる年表管理システム１の構成例を示した説明図である。年表管理システム１は、ＰＣ（Ｐｅｒｓｏｎａｌ  Ｃｏｍｐｕｔｅｒ）１０、ネットワーク１２、年表管理装置２０およびデータ提供装置３０を含む。当該年表管理システム１は、年表管理装置２０が記憶する年表を作成、更新または利用するシステムである。
【００２７】
年表管理装置２０は、所定の事物を表す事物情報を、当該事物の生じた時期に従って整理した年表を記憶する。例えば、年表管理装置２０は時間軸を有し、事物情報を、当該事物の生じた年月日に対応する時間軸上の位置に対応付けて記憶する。また。上記所定の事物は、例えば、音楽、映画、経済、ニュース、スポーツ、芸能、アイドル、個人の生い立ち、講演、ゲームに関する事物、またはエントリーであってもよい。また、事物情報は、例えば、アーティストのアルバムの発売に関する情報、漫画の発行に関する情報、サッカーの試合に関する情報、自身の高校入学に関する情報、歴史上の出来事に関する情報、映画の公開に関する情報であってもよい。また、年表は、音楽に関する事物情報が時系列に整理された音楽年表であっても、映画に関する事物情報が時系列に整理された映画年表であっても、経済に関する事物情報が時系列に整理された経済年表であっても、特定の人物に関する事物情報が時系列に整理された個人年表であってもよい。
【００２８】
このような年表管理装置２０が記憶する事物情報は、一例として、ネットワーク１２を介してＰＣ１０やデータ提供装置３０などの外部装置から提供される。例えば、ＰＣ１０は、一般の各ユーザが所有するＰＣであり、ユーザは、ＰＣ１０を介して年表管理装置２０に自身の生い立ちや趣味に関する事物情報を送信することができる。また、データ提供装置３０は、業者が所有する装置であり、業者は、権利を所有する音楽や映画に関する事物情報をデータ提供装置３０から年表管理装置２０に送信することができる。
【００２９】
また、年表管理装置２０は、ＰＣ１０からの年表の送信要求に応じて、記憶している年表をＰＣ１０に送信する。ＰＣ１０においては、年表管理装置２０から送信された年表を表示装置に表示することにより、ユーザが年表を確認することが可能となる。なお、ＰＣ１０は、情報処理装置の一例として示したに過ぎず、情報処理装置は、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）、家庭用ゲーム機器、携帯用ゲーム機器、家電機器などであってもよい。また、年表管理装置２０およびデータ提供装置３０も同様の情報処理装置で構成してもよい。
【００３０】
ここで、事物情報に、該事物情報が表す事物の属性を示す属性情報としてのタグが付加されていると、ユーザが年表に含まれる事物情報から、所望する事物情報を検索する際に便利である。タグを事物情報に付加する方法として、事物情報を視聴者が視聴し、視聴者が事物情報の内容にふさわしいと判断したタグを事物情報に付加する方法が考えられる。しかし、当該方法は、事物情報に正確なタグを付加することができるものの、年表管理装置２０に記憶される全ての事物情報の視聴および内容の判断を行なうことは膨大な手間であるという問題があった。
【００３１】
そこで、上記のような問題を一着眼点として本発明の一実施形態にかかる年表管理装置２０が創作されるに至った。本実施形態にかかる年表管理装置２０によれば、適切なタグを含むタグ集合を簡易に生成し、該タグ集合を用いて事物情報とタグとを自動的に対応付けることができる。以下、このような年表管理装置２０の構成および動作を図２〜図１０を参照して説明する。
【００３２】
図２は、本実施形態にかかる年表管理装置２０のハードウェア構成を示したブロック図である。年表管理装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００３３】
ＣＰＵ２０１は、演算処理装置および制御装置として機能し、各種プログラムに従って年表管理装置２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００３４】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３５】
入力装置２０８は、例えば、マウス、キーボード、タッチパネル、ボタン、スイッチおよびレバーなどユーザが操作する操作手段と、使用者による操作に基づいて入力信号を生成し、ＣＰＵ２０１に出力する入力制御回路などから構成されている。年表管理装置２０の使用者は、該入力装置２０８を操作することにより、年表管理装置２０に対して各種のデータを入力したり処理動作を指示したりすることができる。
【００３６】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置およびランプなどの表示装置と、スピーカおよびヘッドホンなどの音声出力装置で構成される。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３７】
ストレージ装置２１１は、本実施形態にかかる年表管理装置２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、複数の事物情報を含む年表および後述のタグ集合が記憶される。
【００３８】
ドライブ２１２は、記憶媒体用リーダライタであり、年表管理装置２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００３９】
通信装置２１５は、例えば、ネットワーク１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置２１５は、ＰＣ１０やデータ提供装置３０などとの間で、ネットワーク１２を介して、年表や事物情報などの各種データを送受信する。
【００４０】
以上、図２を参照して本実施形態にかかる年表管理装置２０のハードウェア構成を説明した。ＰＣ１０やデータ提供装置３０のハードウェア構成については、年表管理装置２０のハードウェア構成と実質的に同一に構成することができるため説明を省略する。続いて、図３を参照して本実施形態にかかる年表管理装置２０の機能を説明する。
【００４１】
図３は、本実施形態にかかる年表管理装置２０の構成例を示した機能ブロック図である。年表管理装置２０は、通信部２２０と、記録／読み出し部２２４と、記憶部２２８と、タグ集合生成部２３２と、タグ付加部２４０と、を備える。
【００４２】
通信部２２０は、ＰＣ１０や、データ提供装置３０とのインターフェースであり、受信部および送信部としての機能を有する。具体的には、通信部２２０は、ＰＣ１０が送信する事物情報や、データ提供装置３０が送信する事物情報を受信する。また、通信部２２０は、ＰＣ１０に対して記憶部２２８に記憶されている年表を送信する。なお、通信部２２０は、図２に示した通信装置２１５を機能させるためのソフトウェアであってもよい。
【００４３】
記録／読み出し部２２４は、記憶部２２８に対する事物情報やタグの記録、および記憶部２２８からの年表やタグ集合の読み出しを行ない、記録部および読み出し部としての機能を含む。例えば、記録／読み出し部２２４は、通信部２２０を介してＰＣ１０やデータ提供装置３０から受信した事物情報を、記憶部２２８に記憶されている年表上の所定の位置に記録することができる。
【００４４】
記憶部２２８は、所定の事物を表す事物情報を、当該事物の生じた時期に従って整理した年表や、タグ集合生成部２３２により生成されるタグ集合を記憶する。このような記憶部２２８は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＰＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００４５】
図４は、表示装置における記憶部２２８が記憶する年表の表示画面の一例を示した説明図である。例えば、ＰＣ１０の表示装置においては、図４に示したような表示画面で表される年表を表示することができる。
【００４６】
具体的には、図４に示した年表の表示画面は、基本操作部３１０、年表選択部３２０、年代表示部３３０、少年向け漫画年表３４０、ラグビー年表３５０および詳細表示３６０を含む。
【００４７】
基本操作部３１０は、表示画面の拡大や縮小、表示画面の保存、表示画面の更新などの基本的な操作をするためのアイコン、文字列またはボタンなどを表示した部分である。例えば、ユーザが「表示」の文字列をマウスを用いてクリックすると、表示画面の拡大や縮小を受け付けるような画面が表示されるようにしてもよい。
【００４８】
年表選択部３２０は、表示する年表を選択するためのアイコン、文字列またはボタンなどを表示した部分である。図４においては、年表選択部３２０は、「少年向け漫画」、「ワールドリーグ」または「映画」の年表のいずれかを選択できる構成となっている。例えば、ユーザが「映画」をマウスを用いてクリックすると、映画年表が表示されるようにしてもよい。
【００４９】
年代表示部３３０は、年表における時間軸としての役割を有する表示である。例えば、「１９９２」年の表示に対応する位置には、１９９２年に関連する事物情報が配される。
【００５０】
少年向け漫画年表３４０は、少年向け漫画に関する事物情報が時系列に従って整理された年表である。少年向け漫画年表３４０には、事物情報３４１〜３４６などが含まれる。各事物情報は、タイトル、時期情報、アイコン、詳細情報、関連する情報のＵＲＬ（Ｕｎｉｆｏｒｍ  Ｒｅｓｏｕｒｃｅ  Ｌｏｃａｔｏｒ）、静止画・動画または音楽などの表現メディア種を含んでもよい。
【００５１】
具体的には、事物情報３４１は、タイトルが「「慶優大学物語」連載開始」で、時期情報が「１９９２」である。ユーザがかかる事物情報３４１を選択した場合には、事物情報３４１に関する詳細な情報が例えば説明文として表示されるようにしてもよい。また、事物情報３４１には、「「慶優大学物語」連載開始」の属性を示す「青春」および「大学生」がタグとして付加されている（タグは〔〕内に示した文字列である。）。かかるタグは、人為的に付されたものであってもよい。なお、時期情報の単位は年に限られず、時代、世紀、月、週、日、時、分であってもよい。
【００５２】
同様に、事物情報３４２は、タイトルが「「Ｏ２」連載開始」で、時期情報が「１９９２」で、「スポーツ、野球」がタグとして付加されており、事物情報３４３は、タイトルが「「金田一少年のファイル」連載開始」で、時期情報が「１９９２」で、「ミステリー、高校生」がタグとして付加されており、事物情報３４４は、タイトルが「「ＮＩＮＮＩＮ−忍々―」連載開始」で、時期情報が「１９９３」で、「格闘」がタグとして付加されており、事物情報３４５は、タイトルが「「キャプテン羽  ワールドユース」連載開始」で、時期情報が「１９９４」で、「スポーツ、ラグビー」がタグとして付加されており、事物情報３４６は、タイトルが「「名探偵ドイル」連載開始」で、時期情報が「１９９４」で、「ミステリー、小学生」がタグとして付加されている。
【００５３】
ラグビー年表３５０は、ラグビーに関する事物情報が時系列に従って整理された年表である。ラグビー年表３５０は、事物情報３５１〜３５４を含む。
【００５４】
具体的には、事物情報３５１は、タイトルが「オサム  日本代表チーム監督就任」で、時期情報が「１９９２」で、「オサム、監督」がタグとして付加されており、事物情報３５２は、タイトルが「バグダッドの悲劇」で、時期情報が「１９９３」で、「試合結果」がタグとして付加されており、事物情報３５４は、タイトルが「ワールドリーグ」で、時期情報が「１９９４」で、「ワールドリーグ、Ｒリーグ」がタグとして付加されている。
【００５５】
また、事物情報３５３は、タイトル「Ｒリーグ開幕」、および時期情報「１９９３」を含むが、タグが付加されていない。本実施形態にかかる年表管理装置２０は、このようにタグが付加されていない事物情報や、他の事物情報にタグを追加する場合などに、簡易にタグを事物情報に付加できる点を特徴とする。詳細については、図７〜図１０を用いて後述する。
【００５６】
詳細情報３６０は、事物情報の詳細な内容を示す情報である。図４では、事物情報３５３「Ｒリーグ開幕」の詳細情報を示している。当該事物情報３５３「Ｒリーグ開幕」の詳細情報には、例えば、「１９９３年５月１５日、華々しく開幕したＲリーグは、それまでプロ野球や大相撲くらいしかプロスポーツが存在しなかった日本に大きな衝撃を与えた。」という説明文や、「初試合は、国際競技上で行なわれた、バルセル川崎対横浜ＳＶ。」という説明文が含まれている。
【００５７】
図３を参照して年表管理装置２０の構成の説明に戻ると、タグ集合生成部２３２は、記憶部２２８に記憶されている年表を構成する事物情報に付加されているタグを抽出して、タグ集合を生成する。例えば、タグ集合生成部２３２は、図４に示した少年向け漫画年表３４０およびラグビー年表３５０に基づいて、図５に示すようなタグ集合を生成することができる。
【００５８】
図５は、タグ集合生成部２３２が生成したタグ集合の一例を示した説明図である。図５においては、タグ集合をタグの抽出元の年表ごとに生成した場合を示している。具体的には、少年向け漫画年表３４０に対応するタグ集合は、少年向け漫画年表３４０を構成する事物情報３４２に付加されている「スポーツ」や、少年向け漫画年表３４０を構成する事物情報３４５に付加されている「ラグビー」を含む。同様に、少年向け漫画年表３４０に対応するタグ集合は、「野球」、「格闘」、「小学生」、「高校生」、「大学生」、「ミステリー」および「青春」などをタグとして含む。
【００５９】
また、ラグビー年表３５０に対応するタグ集合は、ラグビー年表３５０を構成する事物情報３５４に付加されている「ワールドリーグ」および「Ｒリーグ」や、図４に示していない事物情報に付加されている「国際競技上」などを含む。同様に、ラグビー年表３５０に対応するタグ集合は、「オサム」、「監督」、「試合結果」などをタグとして含む。
【００６０】
なお、図５においては、タグ集合をタグの抽出元の年表ごとに生成した場合を示しているが、必ずしもタグの抽出元の年表を区別する必要は無い。
【００６１】
また、タグ集合生成部２３２は、生成したタグ集合を更新することができる。かかるタグ集合生成部２３２によるタグ集合の更新処理の流れを、図６を参照して説明する。
【００６２】
図６は、タグ集合生成部２３２によるタグ集合の更新処理の流れを示したフローチャートである。まず、記憶ステップとして、記録／読み出し部２２４が記憶部２２８に事物情報にタグを対応付けて記録し、年表を作成する（Ｓ４０２）。続いて、生成ステップとして、タグ集合生成部２３２は、生成された年表に基づいてタグ集合を生成する（Ｓ４０４）。続いて、記録／読み出し部２２４により記憶部２２８に事物情報が追加、または事物情報が修正されると（Ｓ４０８）、タグ集合生成部２３２は、追加、または修正された事物情報にタグが付加されているか否かを判断する（Ｓ４１０）。タグ集合生成部２３２は、追加、または修正された事物情報にタグが付加されていると判断すると、当該タグがタグ集合に存在するタグであるか否かを判断する（Ｓ４２０）。
【００６３】
そして、タグ集合生成部２３２は、更新ステップとして、当該タグがタグ集合に存在しないタグであると判断した場合、当該タグが記録／読み出し部２２４によりタグ集合に追加されるようにする（Ｓ４３０）。一方、タグ集合生成部２３２は、Ｓ４１０において追加、または修正された事物情報にタグが付加されていないと判断した場合、およびＳ４２０において当該タグがタグ集合に存在するタグであると判断した場合、動作を終了する。
【００６４】
このように、タグ集合生成部２３２が、記憶部２２８に新たなタグが追加された場合に当該タグをタグ集合に追加できるため、タグ集合を、記憶部２２８に記憶される事物情報およびタグの変化に追従するように更新することができる。
【００６５】
図３を参照して年表管理装置２０の構成の説明に戻ると、タグ付加部２４０は、記憶部２２８に記憶されている年表を構成する事物情報に、当該事物情報とタグ集合とを比較することによりタグを付加することができる。このようなタグ付加部２４０の詳細な構成および動作を図７〜図９を参照して説明する。
【００６６】
図７は、タグ付加部２４０の詳細な構成を示した機能ブロック図である。タグ付加部２４０は、事物情報判断部２４２と、時期的条件判断部２４４と、タグ付け処理部２４６と、を備える。
【００６７】
事物情報判断部２４２は、タグ集合を構成するタグのうちで、記憶部２２８に記憶されている年表を構成する各事物情報に含まれるタグを判断する。例えば、事物情報がテキスト形式で表されている場合、当該事物情報のタイトルや説明文などにタグ名と一致、または類似する文字列があるか否かを判断する。
【００６８】
具体的には、図４に示した事物情報３５３は、上述したように「１９９３年５月１５日、華々しく開幕したＲリーグは、それまでプロ野球や大相撲くらいしかプロスポーツが存在しなかった日本に大きな衝撃を与えた。」という説明文や、「初試合は、国際競技上で行なわれた、バルセル川崎対横浜ＳＶ。」という説明文が含まれている。ここで、記憶部２２８が図５に示したタグ集合を記憶していた場合、事物情報判断部２４２は、事物情報３５３に「Ｒリーグ」、「野球」、「スポーツ」および「国際競技場」のタグと一致する文字列が含まれると判断する。
【００６９】
なお、事物情報判断部２４２は、上記事物情報の判断の際に事物情報と比較するタグ集合として、いずれの年表区分に対応するタグ集合を用いるかを選択することができる。具体的には、事物情報判断部２４２は、図４に示した事物情報３５３を判断する際に、ラグビー年表に対応するタグ集合のみを用いることができる。この場合、事物情報判断部２４２は、事物情報３５３に「Ｒリーグ」、および「国際競技場」のタグと一致する文字列が含まれると判断する。すなわち、事物情報判断部２４２は、事物情報３５３の本質的な内容と異なる「野球」、あるいはラグビー年表において特段の識別力を発揮しない「スポーツ」を事物情報３５３への付加対象から除外することができる。したがって、このように事物情報の判断に用いるタグ集合を選択可能とすることにより、事物情報と関連性の低いタグが当該タグが当該事物情報に付加される場合を抑制できる。
【００７０】
また、事物情報が音声形式で表されている場合、事物情報判断部２４２は、事物情報が表す音声中にタグ集合を構成するタグを表す音声が含まれるか否かを判断するようにしてもよい。また、事物情報が映像形式で表されている場合、事物情報判断部２４２は、事物情報が表す映像中にタグ集合を構成するタグを表す映像が含まれるか否かを判断するようにしてもよい。同様に、事物情報が画像形式で表されている場合、事物情報判断部２４２は、事物情報が表す画像中にタグ集合を構成するタグを表す画像が含まれるか否かを判断するようにしてもよい。
【００７１】
時期的条件判断部２４４は、事物情報判断部２４２による判断対象となった一の事物情報に含まれる時期情報（以下、第一の時期情報とも示す。）と、事物情報判断部２４２により当該事物情報に含まれると判断された特定のタグの抽出元である特定の事物情報に含まれる時期情報（以下、第二の時期情報とも示す。）と、の時期的な関係に応じて、上記特定のタグを上記一の事物情報への対応付けの対象とするか否かを判断する。なお、上記特定の事物情報は、上記特定のタグが人為的に付加された事物情報であってもよい。
【００７２】
例えば、時期的条件判断部２４４は、上記第一の時期情報が上記第二の時期情報の以後を示す場合にのみ、上記一の事物情報を上記特定のタグとの対応付けの対象とすることができる。かかる構成においては、上記特定の事物情報が表す事物が、第二の時期情報が示す時期以前に生じた事物と関連する可能性が低い場合、第二の時期情報が示す時期以前に生じた事物を表す上記一の事物情報と、上記特定の事物情報に対応付けられた特定のタグと、を対応付けてしまうことを防止できる。
【００７３】
具体例としては、タグ集合に含まれる「オサム」が時期情報が「１９９２」である事物情報から抽出された場合、「オサム」を時期情報が１９９２年以前である事物情報への対応付けの対象から除外することができる。「オサム」は、１９９２年に日本代表チームに監督に就任したとすると、それ以前に「オサム」の文字列を含む事物情報があったとしても、当該事物情報における「オサム」は別人を示している可能性が高いため、かかる手法は事物情報への信頼性の低いタグの付加を抑制できる点で有効である。
【００７４】
また、時期的条件判断部２４４は、上記第一の時期情報と、上記第二の時期情報と、の時期的な間隔が設定時間以内であった場合にのみ、上記一の事物情報を上記特定のタグとの対応付けの対象とすることができる。ここで、一の事物情報の表す事物が生じた時期と、特定の事物情報が表す事物の生じた時期と、が近接する場合に、一の事物情報の表す事物と特定の事物情報が表す事物とが関連する可能性が高いと考えることができる。したがって、上記第一の時期情報と、上記第二の時期情報と、の時期的な間隔を考慮することにより、信頼性の高い上記特定のタグを上記一の事物情報と対応付けることができる。
【００７５】
具体例としては、タグ集合に含まれる「オサム」が時期情報が「１９９２」である事物情報から抽出された場合、「オサム」を、時期情報が１９９２年と５年以上の間隔を有する事物情報への対応付けの対象から除外することができる。「オサム」は、１９９２年に日本代表チームに監督に就任したとすると、例えば１９９７年には日本代表チームに監督で無くなっている可能性が高い。したがって、「オサム」の文字列を含む時期情報が１９９７年以降である事物情報があったとしても、当該事物情報における「オサム」は別人を示している可能性が高いため、かかる手法は事物情報へ比較的信頼性の低いタグを付加してしまうことを防止できる点で有効である。
【００７６】
また、時期的条件判断部２４４は、上記特定のタグが付加されている特定の事物情報が複数あったとき、上記第一の時期情報が、上記第二の時期情報の時期的な分布上の度数が高い位置に該当する場合、上記一の事物情報を上記特定のタグとの対応付けの対象とすることができる。ここで、上記第一の時期情報が、上記第二の時期情報の時期的な分布の度数が高い位置に該当する場合は、上記一の事物情報が上記特定のタグと関連する可能性が高いと考えられる。したがって、上記第二の時期情報の時期的な分布と、上記第一の時期情報と、の関係を考慮することにより、信頼性の高い上記特定のタグを上記一の事物情報と対応付けることができる。
【００７７】
例えば、「ワールドリーグ」のタグが付加されている事物情報に含まれる時期情報が、図８に示すような分布であったとする。図８を参照すると、「ワールドリーグ」のタグが付加されている事物情報は、時期情報が主に１９９４年〜１９９６年であることが確認できる。したがって、時期的条件判断部２４４は、「ワールドリーグ」の文字列を含み、時期情報が１９９４年〜１９９６年である事物情報を、タグ「ワールドリーグ」を付加する対象とすることができる。一方、時期的条件判断部２４４は、「ワールドリーグ」の文字列を含んでも、時期情報が１９９４年〜１９９６年以外である事物情報を、タグ「ワールドリーグ」を付加する対象から除外することができる。
【００７８】
タグ付け処理部２４６は、時期的条件判断部２４４により特定のタグを対応付けの対象とされた事物情報に、特定のタグが対応付けられる（付加される）ようにする。続いて、以上説明したタグ付加部２４０の動作をフローチャートを参照して説明する。
【００７９】
図９は、本実施形態にかかるタグ付け処理部２４６における情報処理方法を示したフローチャートである。まず、事物情報判断部２４２は、記憶部２２８が記憶する年表内の事物情報に未処理フラグを付与する（Ｓ５０４）。続いて、事物情報判断部２４２は、未処理フラグが付与されている事物情報が存在するか否かを判断する（Ｓ５０８）。そして、事物情報判断部２４２は、未処理フラグが付与されていると判断した事物情報を一つ抽出する（Ｓ５１２）。
【００８０】
次いで、事物情報判断部２４２は、記憶部２２８が記憶するタグ集合を構成するタグに未処理フラグを付与する（Ｓ５１６）。続いて、事物情報判断部２４２は、未処理フラグが付与されているタグが存在するか否かを判断する（Ｓ５２０）。そして、事物情報判断部２４２は、未処理フラグが付与されていると判断したタグを一つ抽出する（Ｓ５２４）。
【００８１】
その後、事物情報判断部２４２は、第一の判断ステップとして、Ｓ５１２において抽出した事物情報に、Ｓ５２４において抽出したタグが文字列として含まれるか否かを判断する（Ｓ５２８）。Ｓ５１２において抽出した事物情報に、Ｓ５２４において抽出されたタグが文字列として含まれると判断された場合、時期的条件判断部２４４は、第二の判断ステップとして、Ｓ５１２において抽出された事物情報の時期情報と、Ｓ５２４において抽出されたタグに対応する時期情報とが、所定の時期的条件を満たすか否かを判断する（Ｓ５３２）。
【００８２】
そして、Ｓ５１２において抽出された事物情報の時期情報と、Ｓ５２４において抽出されたタグに対応する時期情報とが、所定の時期的条件を満たすと判断された場合、タグ付け処理部２４６は、対応付けステップとして、Ｓ５１２において抽出された事物情報の時期情報に、Ｓ５２４において抽出されたタグを付加する（Ｓ５３６）。ここで、タグ付け処理部２４６は、当該タグが当該情報処理方法により付加されたことを示す識別情報も同時に付加することができる。その後、事物情報判断部２４２は、Ｓ５２４において抽出されたタグのフラグを処理済みとし（Ｓ５４０）、Ｓ５２０の処理に戻る。
【００８３】
一方、Ｓ５２８において、Ｓ５１２において抽出した事物情報に、Ｓ５２４において抽出されたタグが文字列として含まれないと判断された場合、またはＳ５３２において、Ｓ５１２において抽出された事物情報の時期情報と、Ｓ５２４において抽出されたタグに対応する時期情報とが、所定の時期的条件を満たさないと判断された場合、Ｓ５４０の処理に進む。
【００８４】
また、Ｓ５２０において、未処理フラグが付与されているタグが存在しないと判断された場合、事物情報判断部２４２は、Ｓ５１２において抽出した事物情報のフラグを処理済みとし（Ｓ５４４）、Ｓ５０８の処理に戻る。
【００８５】
このような年表管理装置２０における情報処理方法を、記憶部２２８が記憶する図４に示したような年表に適用した結果例を、図１０に示した。
【００８６】
図１０は、年表管理装置２０における情報処理方法の結果例を示した説明図である。図４においては、事物情報３５３にタグが付加されていなかったが、本実施形態にかかる情報処理方法により、「Ｒリーグ」、「野球」、「スポーツ」および「国際競技場」を事物情報３５３に自動的に付加することができる。また、これらのタグには、本実施形態にかかる情報処理方法により、タグ付けされたことを示す識別情報として「自動付加」なる情報が付されている。なお、識別情報の形式は文字列による表現に限られず、自動付加したタグの色やフォントにより区別できるものであってもよい。
【００８７】
以上説明したように、本実施形態にかかる年表管理装置２０によれば、人為的に事物情報に付されたタグに基づいてタグ集合を自動的に生成できるため、事物情報の属性あるいは内容を示す上で不適切なタグ情報が属性情報集合に含まれる場合を抑制しつつ、簡易に事物情報とタグとの対応付けを行なうことができる。
【００８８】
また、本実施形態にかかる年表管理装置２０は、一の事物情報の時期情報と、タグの抽出元の事物情報の時期情報と、の時期的関係に基づいて一の事物情報とタグとの対応付けを行なうか否かを判断する時期的条件判断部２４４を備えるため、一の事物情報に、より信頼性の高いタグを対応付けることができる。
【００８９】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９０】
年表管理装置２０のタグ付加部２４０による事物情報へのタグの対応付け処理は、所定の頻度、例えば１日一回または１２時間間隔など周期的に行なわれても、１日２回または１ヶ月に３回などの不等間隔で行われるようにしてもよい。かかる構成においては、上記所定の頻度を調整することにより、年表管理装置２０における負荷を調整することができる。
【００９１】
また、年表管理装置２０の事物情報判断部２４２がタグ付けの対象として判断する事物情報は、年表の区分単位で選択できるようにしてもよい。かかる構成においては、自動タグ付けの対象から除外すべき事物情報に、意図せずタグが付加されてしまうことを防止できる。
【００９２】
また、タグ集合生成部２３２によるタグのタグ集合への抽出を、タグごとに禁止することも可能である。かかる構成においては、例えば個人的な内容を含むタグに禁止設定をすれば、個人的な内容を含むタグがタグ集合に包含されてしまうことを防止できる。
【００９３】
また、上記ではタグが付加される対象として事物情報をあげて説明したが、事物情報を複数含む年表にもタグを付加できるようにしてもよい。
【００９４】
また、年表管理装置２０に内蔵されるＣＰＵ２０１、ＲＯＭ２０２およびＲＡＭ２０３などのハードウェアを、上述した年表管理装置２０の各構成と同等の機能を発揮させるためのコンピュータプログラムも作成可能である。また、当該プログラムを記憶した記憶媒体も提供される。
【００９５】
また、本明細書の年表管理装置２０の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【図面の簡単な説明】
【００９６】
【図１】本実施形態にかかる年表管理システムの構成例を示した説明図である。
【図２】同実施形態にかかる年表管理装置のハードウェア構成を示したブロック図である。
【図３】同実施形態にかかる年表管理装置の構成例を示した機能ブロック図である。
【図４】表示装置における記憶部が記憶する年表の表示画面の一例を示した説明図である。
【図５】タグ集合生成部が生成したタグ集合の一例を示した説明図である。
【図６】タグ集合生成部によるタグ集合の更新処理の流れを示したフローチャートである。
【図７】タグ付加部の詳細な構成を示した機能ブロック図である。
【図８】時期情報の分布例を示した説明図である。
【図９】同実施形態にかかるタグ付け処理部における情報処理方法を示したフローチャートである。
【図１０】年表管理装置における情報処理方法の結果例を示した説明図である。
【符号の説明】
【００９７】
１        年表管理システム
２０      年表管理装置
２２０    通信部
２２４    記録／読み出し部
２２８    記憶部
２３２    タグ集合生成部
２４０    タグ付加部
２４２    事物情報判断部
２４４    時期的条件判断部
２４６    タグ付け処理部
【図１】
2008146483.tif 000003
【図２】
2008146483.tif 000004
【図３】
2008146483.tif 000005
【図４】
2008146483.tif 000006
【図５】
2008146483.tif 000007
【図６】
2008146483.tif 000008
【図７】
2008146483.tif 000009
【図８】
2008146483.tif 000010
【図９】
2008146483.tif 000011
【図１０】
2008146483.tif 000012